(57)【要約】      （修正有）【課題】二つの無線モジュールを有し、マルチメディアの取得および保存が可能なマルチメディア表示装置を提供する。【解決手段】第一無線モジュール２および第二無線モジュール３は本体１に内蔵されるか、入出力インターフェース１２を介して本体１に外部から接続される。本体１は第一無線モジュール２によってインターネット４に接続される。第二無線モジュール３は、エミュレーションソフトウェアを介して模擬無線受信器３１を生成し、Ｗｉ−Ｆｉ（登録商標）モジュールを有する任意の無線装置を第一無線モジュール２を介してインターネット４に接続する。このような装置によると、サーバー４１を介してマルチメディアデータの取得および保存を行うとともにディスプレイ１４に表示する機能と、Ｗｉ−Ｆｉ準拠互換モジュールを有する装置と無線ＬＡＮ接続を構成するとともにマルチメディアデータの取得および保存を行う。【選択図】図１
0003148638.tif 000002
【実用新案登録請求の範囲】
【請求項１】
マルチメディアを表示可能なディスプレイおよびデータ処理制御ユニットを有する本体と、
前記データ処理制御ユニットに電気的に接続され、広域通信ネットワークのサーバーを介してインターネットに接続する機能を前記本体に提供可能な第一無線モジュールと、
前記データ処理制御ユニットに電気的に接続され、前記本体を無線ＬＡＮルータに設定し、前記第一無線モジュールを介して前記インターネットに接続する機能を提供可能な第二無線モジュールと、
を備えることを特徴とするマルチメディア表示装置。
【請求項２】
マルチメディアを表示可能な前記ディスプレイは、陰極線管ディスプレイ、液晶ディスプレイ、有機発光ダイオードディスプレイパネル、またはプラズマディスプレイパネルなどであることを特徴とする請求項１に記載のマルチメディア表示装置。
【請求項３】
前記第一無線モジュールおよび前記第二無線モジュールは、前記本体に別々に内蔵されることを特徴とする請求項１に記載のマルチメディア表示装置。
【請求項４】
前記本体は、さらに少なくとも一つの入出力インターフェースを有し、前記第一無線モジュールおよび前記第二無線モジュールは、前記入出力インターフェースに外部接続されることを特徴とする請求項１に記載のマルチメディア表示装置。
【請求項５】
前記入出力インターフェースは、少なくとも一つのＲＳ−２３２インターフェース、ＵＳＢ１．１インターフェース、ＵＳＢ２．０インターフェース、ＵＳＢオン・ザ・ゴーインターフェース、ＩＥＥＥ１３９４インターフェース、またはＰＣＭＣＩＡインターフェースを有することを特徴とする請求項４に記載のマルチメディア表示装置。
【請求項６】
前記入出力インターフェースは、さらに少なくとも一つのメモリカード差込スロットを有することを特徴とする請求項４に記載のマルチメディア表示装置。
【請求項７】
前記メモリカード差込スロットは、支援する無線ネットワークモジュールの差込に用いるＳＤＩ／Ｏ互換インターフェースまたはＣＦカード互換インターフェースであることを特徴とする請求項６に記載のマルチメディア表示装置。
【請求項８】
前記メモリカード差込スロットが支援するメモリカード規格は、ＣＦカード、ＭＳカード、ＳＤカード、ＳＤＨＣカード、ｍｉｎｉＳＤカード、ｍｉｃｒｏＳＤカードまたはＭＭＣカード、ＳＭカード（登録商標）またはｘＤ画像カードを含むことを特徴とする請求項６に記載のマルチメディア表示装置。
【請求項９】
前記第一無線モジュールは、ＷｉＭＡＸ準拠互換モジュールであることを特徴とする請求項１に記載のマルチメディア表示装置。
【請求項１０】
前記入出力インターフェースは、さらにモバイル通信モジュール伝送ポートを有し、前記モバイル通信モジュール伝送ポートが支援するインターフェース規格は、少なくとも一つのＳＩＭ互換インターフェース、ＵＳＩＭ互換インターフェース、ＵＩＭ互換インターフェースまたはＲＵＩＭ互換インターフェースを含むことを特徴とする請求項４に記載のマルチメディア表示装置。
【請求項１１】
前記第一無線モジュールは、３Ｇ準拠互換モジュール、３．５Ｇ準拠互換モジュール、３．７５Ｇ準拠互換モジュールまたは４Ｇ準拠互換モジュールであることを特徴とする請求項１に記載のマルチメディア表示装置。
【請求項１２】
前記第二無線モジュールは、Ｗｉ−Ｆｉ準拠互換モジュールであることを特徴とする請求項１に記載のマルチメディア表示装置。
【請求項１３】
前記Ｗｉ−Ｆｉ準拠互換モジュールは、エミュレーションソフトウェアを介して模擬無線受信器を生成することを特徴とする請求項１２に記載のマルチメディア表示装置。
【請求項１４】
前記無線受信器は、パソコン、ノートパソコンまたはＷｉ−Ｆｉ準拠互換モジュールを有する無線装置に無線接続を提供することを特徴とする請求項１３に記載のマルチメディア表示装置。
【考案の詳細な説明】
【技術分野】
【０００１】
本考案は、マルチメディア表示装置に関し、特に二つの無線モジュールを有するマルチメディア表示装置に関する。
【背景技術】
【０００２】
従来のマルチメディア表示装置は、メモリカードを介して取得および保存を行うことによってのみマルチメディアデータを更新する目的を達成する。しかしながら、このマルチメディア表示装置は常に外部接続設備を介してマルチメディアデータを更新する必要があり、データの共有性および更新の即時性の明らかな進歩はないため、表示装置に無線ネットワーク機能を追加することによってリモートのマルチメディアデータを直接取得および保存できる方法が提示された。
【０００３】
しかしながら、無線ネットワークは、サービスセット識別子（Ｓｅｒｖｉｃｅ  ＳｅｔＩｄｅｎｔｉｆｅｒ，ＳＳＩＤ）を設定し、ＷＥＰ（Ｗｉｒｅｄ  Ｅｑｕｉｖａｌｅｎｔ  Ｐｒｉｖａｃｙ）／ＷＰＡ（Ｗｉ−Ｆｉ  Ｐｒｏｔｅｃｔｅｄ  Ａｃｃｅｓｓ）の認証を取得することが必要であるだけでなく、インターネットプロトコル（Ｉｎｔｅｒｎｅｔ  Ｐｒｏｃｏｃｏｌ，ＩＰ）のデータおよびドメインネームシステム（Ｄｏｍａｉｎ  Ｎａｍｅ  Ｓｙｓｔｅｍ，ＤＮＳ）などのインターネット通信プロトコルを設定することも必要であるため、設定のステップが非常に繁雑である。
【０００４】
従って、如何に従来のマルチメディア表示装置の欠点を改良し、ネットワークホットスポットまたはリモート装置によってマルチメディアデータの取得及び保存を迅速に行うかということが、本考案が解決しようとする課題である。
【考案の開示】
【考案が解決しようとする課題】
【０００５】
本考案の主な目的は、上述の問題を解決するため、二つの無線モジュールを有する、マルチメディア表示装置を提供することである。
【課題を解決するための手段】
【０００６】
上述の目的を達成するために、本考案によるマルチメディア装置は、本体と、第一無線モジュールおよび第二無線モジュールを備える。第一無線モジュールおよび第二無線モジュールは本体に内蔵されるか、入出力インターフェースを介して本体に外部接続される。
本体は、マルチメディアを表示可能なディスプレイおよびデータ処理制御ユニットを有する。本体は第一モジュールによってＩＳＰ（Ｉｎｔｅｒｎｅｔ  Ｓｅｒｖｉｃｅｓ  Ｐｒｏｖｉｄｅｒ.）を介してインターネットに接続されるため、ネットワークホットスポットまたはリモート装置によってマルチメディアデータを迅速に取得し、データ処理制御ユニットを介して処理し、処理が完了したデータをディスプレイに表示する機能を、ユーザーに提供することが可能である。
【０００７】
第一無線モジュールは、データ処理制御ユニットに電気的に接続されるため、広域通信ネットワーク（Ｗｉｄｅ  Ａｒｅａ  Ｎｅｔｗｏｒｋ，ＷＡＮ）のサーバーを介してインターネット（Ｉｎｔｅｒｎｅｔ）に接続する機能を、本体に提供することが可能である。
第二無線モジュールは、エミュレーションソフトウェアを介して模擬無線受信器（Ａｃｃｅｓｓ  Ｐｏｉｎｔ，ＡＰ）を生成することにより、Ｗｉ−Ｆｉ（Ｗｉｒｅｌｅｓｓ  Ｆｉｄｅｌｉｔｙ）モジュールを有する任意の無線装置に第一無線モジュールを介してインターネットに接続する機能を提供する。または、第二無線モジュールは、データ処理制御ユニットに電気的に接続されるため、本体を無線ＬＡＮ（Ｗｉｒｅｌｅｓｓ  Ｌｏｃａｌ  Ａｒｅａ  Ｎｅｔｗｏｒｋ，ＷＬＡＮ）ルータに設定し、第一無線モジュールを介してインターネット（Ｉｎｔｅｒｎｅｔ）に接続する機能を提供することが可能である。
【０００８】
前記ディスプレイは、陰極線管（Ｃａｔｈｏｄｅ  Ｒａｙ  Ｔｕｂｅ，ＣＲＴ）ディスプレイ、液晶ディスプレイ（Ｌｉｑｕｉｄ  Ｃｒｙｓｔａｌ  Ｄｉｓｐｌａｙ，ＬＣＤ）、有機発光ダイオードディスプレイパネル（Ｏｒｇａｎｉｃ  Ｌｉｇｈｔ−Ｅｍｉｔｔｉｎｇ  Ｄｉｏｄｅ，ＯＬＥＤ）、またはプラズマディスプレイパネル（Ｐｌａｓｍａ  Ｄｉｓｐｌａｙ  Ｐａｎｎｅｌ，ＰＤＰ）などであることが例示される。
【０００９】
前記入出力インターフェースは、少なくとも一つのＲＳ−２３２（Ｒｅｃｏｍｍｅｎｄｅｄ  Ｓｔａｎｄａｒｄ−２３２）インターフェース、ＵＳＢ（Ｕｎｉｖｅｒｓａｌ  Ｓｅｒｉａｌ  Ｂｕｓ）１．１インターフェース、ＵＳＢ（Ｕｎｉｖｅｒｓａｌ  Ｓｅｒｉａｌ  Ｂｕｓ）２．０インターフェース、ＵＳＢ（Ｕｎｉｖｅｒｓａｌ  Ｓｅｒｉａｌ  Ｂｕｓ）オン・ザ・ゴー（Ｏｎ−Ｔｈｅ−Ｇｏ，ＯＴＧ）インターフェース、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４インターフェース、またはＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）インターフェースを有することが例示される。
【００１０】
また、前記入出力インターフェースは、さらに少なくとも一つのメモリカード差込スロットを有する。前記メモリカード差込スロットは、支援する無線ネットワークモジュールの差込に用いるＳＤ（Ｓｅｃｕｒｅ  Ｄｉｇｉｔａｌ）Ｉ／Ｏ互換インターフェースまたはＣＦカード（ＣｏｍｐａｃｔＦｌａｓｈ  Ｃａｒｄ）互換インターフェースであることが例示される。
【００１１】
前記メモリカード差込スロットが支援するメモリカード規格は、ＣＦ（ＣｏｍｐａｃｔＦｌａｓｈ）カード、ＭＳ（Ｍｅｍｏｒｙ  Ｓｔｉｃｋ）カード、ＳＤ（Ｓｅｃｕｒｅ  Ｄｉｇｉｔａｌ）カード、ＳＤＨＣ（Ｓｅｃｕｒｅ  Ｄｉｇｉｔａｌ  Ｈｉｇｈ  Ｃａｐａｃｉｔｙ）カード、ｍｉｎｉＳＤカード、ｍｉｃｒｏＳＤカードまたはＭＭＣカード（Ｍｕｌｔｉｍｅｄｉａ  Ｃａｒｄ）、ＳＭ（ＳｍａｒｔＭｅｄｉａ（登録商標））カードまたはｘＤ画像カード（Ｅｘｔｒｅｍｅ  Ｄｉｇｉｔａｌ−Ｐｉｃｔｕｒｅ  Ｃａｒｄ）を含むことが例示される。
【００１２】
また、前記入出力インターフェースは、さらにモバイル通信モジュール伝送ポートを有し、前記モバイル通信モジュール伝送ポートが支援するインターフェース規格は、少なくとも一つのＳＩＭ（Ｓｕｂｓｃｒｉｂｅｒ  Ｉｄｅｎｔｉｔｙ  Ｍｏｄｕｌｅ）互換インターフェース、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）互換インターフェース、ＵＩＭ（Ｕｓｅｒ  Ｉｄｅｎｔｉｔｙ  Ｍｏｄｅｌ）互換インターフェースまたはＲＵＩＭ（Ｒｅｍｏｖａｂｌｅ  Ｕｓｅｒ  Ｉｄｅｎｔｉｔｙ  Ｍｏｄｕｌｅ）互換インターフェースを含むことが例示される。
【００１３】
一方、前記第一無線モジュールは、３Ｇ（３ｒｄ−ｇｅｎｅｒａｔｉｏｎ）準拠互換モジュール、３．５Ｇ（Ｈｉｇｈ  Ｓｐｅｅｄ  Ｄｏｗｎｌｉｎｋ  Ｐａｃｋｅｔ  Ａｃｃｅｓｓ，ＨＳＤＰＡ）準拠互換モジュール、３．７５Ｇ（Ｈｉｇｈ  Ｓｐｅｅｄ  Ｕｐｌｉｎｋ  Ｐａｃｋｅｔ  Ａｃｃｅｓｓ，ＨＳＵＰＡ）準拠互換モジュールまたは４Ｇ（ｆｏｕｒｔｈ−ｇｅｎｅｒａｔｉｏｎ）準拠互換モジュールであることが例示される。
【考案を実施するための最良の形態】
【００１４】
以下、図面に基づいて、本考案の実施形態を説明する。
図１と図２に示すのは、本考案の実施形態の構造を説明するための例であるため、この実施形態に請求範囲が制限されるものではない。
（第１実施形態）
【００１５】
図１に示すように、第１実施形態によるマルチメディア装置は、本体１と、第一無線モジュール２および第二無線モジュール３を備える。
【００１６】
本体１は、データ処理制御ユニット１１とディスプレイ１４を有する。データ処理制御ユニット１１は、少なくとも一つの入出力インターフェース１２または少なくとも一つのメモリカード差込スロット１３の信号データまたはマルチメディアデータなどの処理に用いられる。ディスプレイ１４は、マルチメディアデータの表示に用いられる。
【００１７】
第一無線モジュール２は、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）準拠互換モジュールであり、データ処理制御ユニット１１に電気的に接続されるか、または入出力インターフェース１２を介してデータ処理制御ユニット１１に接続される。このため、広域通信ネットワーク（Ｗｉｄｅ  Ａｒｅａ  Ｎｅｔｗｏｒｋ，ＷＡＮ）のサーバー４１を介してインターネット（Ｉｎｔｅｒｎｅｔ）４の任意のサーバー端に接続する機能を、本体１に提供することができる。
【００１８】
第二無線モジュール３は、ＷｉＭＡＸ準拠互換モジュールであり、エミュレーションソフトウェアを介して模擬無線受信器３１を生成し、かつデータ処理制御ユニット１１に電気的に接続されるか、または入出力インターフェース１２を介してデータ処理制御ユニット１１に接続されるため、本体１を無線ＬＡＮ（Ｗｉｒｅｌｅｓｓ  Ｌｏｃａｌ  Ａｒｅａ  Ｎｅｔｗｏｒｋ，ＷＬＡＮ）ルータに設定し、第一無線モジュール２を介してインターネット（Ｉｎｔｅｒｎｅｔ）４の任意のサーバー端に接続する機能を提供することができる。
【００１９】
マルチメディアデータを表示しようとする時、マルチメディア表示装置は、メモリカード差込スロット１３にメモリカードを差し込み、電気的に接続されたデータ処理制御ユニット１１を介して処理を行い、続いて電気的に接続された液晶ディスプレイ１４を介して表示することができる。またはＷｉＭＡＸ準拠互換の第一無線モジュール２を介して広域通信ネットワーク（Ｗｉｄｅ  Ａｒｅａ  Ｎｅｔｗｏｒｋ，ＷＡＮ）のサーバー４１に接続することによってインターネット４に接続し、続いてミドルウェアサーバー４２に接続し、ミドルウェアサーバー４２によって統合されたデータを、インターネット４を介して本体１のデータ処理制御ユニット１１に伝送し、処理を行い、続いて液晶ディスプレイ１４を介して表示することもできる。ミドルウェアサーバー４２は、少なくとも一つの写真サーバー４３および画像音声サーバー４４またはブロックサーバー４５を統合する。
【００２０】
ユーザーがＷｉＭＡＸ準拠互換の第一無線モジュール２によってインターネット４に接続する際、ＷｉＭＡＸ準拠互換の第二無線モジュール３は、エミュレーションソフトウェアを介して模擬無線受信器３１を生成し、かつＷｉＭＡＸ準拠互換モジュールを有するパソコン３１１、ノートパソコン３１２またはマルチメディア表示装置３１３に、ＷｉＭＡＸ準拠互換の第一無線モジュール２を介してインターネット４に接続する機能を提供する。このため、本実施形態によるマルチメディア装置とＷｉＭＡＸ準拠互換モジュールを有する装置とは、無線ＬＡＮ接続を構成することができる。
【００２１】
（第２実施形態）
図２に示すように、第２実施形態は、第１実施形態から一部分を変化させたものである。本実施形態において、第一無線モジュールは、入出力インターフェース１２のＵＳＢを介して本体１に電気的に接続される３．５Ｇ無線ネットワークカード外部接続装置２１である。または、第一無線モジュールは入出力インターフェース１２のＳＩＭカードの互換インターフェースに差し込まれる３．５Ｇ  ＵＳＩＭカード２２にすることもできる。
【００２２】
第二無線モジュールは、入出力インターフェース１２のＵＳＢを介して本体１に電気的に接続される外部接続式Ｗｉ−Ｆｉ無線ネットワークカード３２である。または、第二無線モジュールはメモリカード差込スロット１３を介して本体１に電気的に接続されるＳＤ  Ｗｉ−Ｆｉ無線ネットワークカード３３にすることもできる。メモリカード差込スロット１３はＳＤカード１３１を差し込むこともできる。
【００２３】
（考案の効果）
上述したとおり、本考案によるマルチメディア装置は、室内外にインターネットのミドルウェアサーバー４２またはサーバーを介してマルチメディアデータの取得および保存を行い、表示装置を介して表示する機能と、インターネットを接続する媒介としてＷｉ−Ｆｉ準拠互換モジュールを有する装置を提供し、ネットワークを介してマルチメディアの取得および保存を迅速に行う機能とを、ユーザーに提供することができる。
【図面の簡単な説明】
【００２４】
【図１】本考案の第１実施形態によるマルチメディア装置におけるハードディスク本体の構成を示す模式図。
【図２】本考案の第２実施形態によるマルチメディア装置におけるハードディスク本体の構成を示す模式図。
【符号の説明】
【００２５】
１：本体、２：第一無線モジュール、３：第二無線モジュール、１１：データ処理制御ユニット、１２：入出力インターフェース、１３：メモリカード差込スロット、１３１：ＳＤカード、１４：ディスプレイ、２１：３．５Ｇ無線ネットワークカード外部接続装置、２２：３．５ＧＵＳＩＭカード、３１：無線受信器、３１１：パソコン、３１２：ノートパソコン、３１３：マルチメディア表示装置、３２：外部接続式Ｗｉ−Ｆｉ無線ネットワークカード、３３：ＳＤ  Ｗｉ−Ｆｉ無線ネットワークカード、４：インターネット、４１：広域通信ネットワークのサーバー、４２：ミドルウェアサーバー、４３：写真サーバー、４４：映像音声サーバー、４５：ブロックサーバー
【図１】
0003148638.tif 000003
【図２】
0003148638.tif 000004
【手続補正書】
【提出日】平成20年12月5日(2008.12.5)
【手続補正１】
【補正対象書類名】実用新案登録請求の範囲
【補正対象項目名】請求項９
【補正方法】変更
【補正の内容】
【請求項９】
前記第一無線モジュールは、ＷｉＭＡＸ（登録商標）準拠互換モジュールであることを特徴とする請求項１に記載のマルチメディア表示装置。
【手続補正２】
【補正対象書類名】実用新案登録請求の範囲
【補正対象項目名】請求項１２
【補正方法】変更
【補正の内容】
【請求項１２】
前記第二無線モジュールは、Ｗｉ−Ｆｉ（登録商標）準拠互換モジュールであることを特徴とする請求項１に記載のマルチメディア表示装置。
【手続補正３】
【補正対象書類名】明細書
【補正対象項目名】０００７
【補正方法】変更
【補正の内容】
【０００７】
第一無線モジュールは、データ処理制御ユニットに電気的に接続されるため、広域通信ネットワーク（Ｗｉｄｅ  Ａｒｅａ  Ｎｅｔｗｏｒｋ，ＷＡＮ）のサーバーを介してインターネット（Ｉｎｔｅｒｎｅｔ）に接続する機能を、本体に提供することが可能である。
第二無線モジュールは、エミュレーションソフトウェアを介して模擬無線受信器（Ａｃｃｅｓｓ  Ｐｏｉｎｔ，ＡＰ）を生成することにより、Ｗｉ−Ｆｉ（Ｗｉｒｅｌｅｓｓ  Ｆｉｄｅｌｉｔｙ）（登録商標）モジュールを有する任意の無線装置に第一無線モジュールを介してインターネットに接続する機能を提供する。または、第二無線モジュールは、データ処理制御ユニットに電気的に接続されるため、本体を無線ＬＡＮ（Ｗｉｒｅｌｅｓｓ  Ｌｏｃａｌ  Ａｒｅａ  Ｎｅｔｗｏｒｋ，ＷＬＡＮ）ルータに設定し、第一無線モジュールを介してインターネット（Ｉｎｔｅｒｎｅｔ）に接続する機能を提供することが可能である。
【手続補正４】
【補正対象書類名】明細書
【補正対象項目名】００１０
【補正方法】変更
【補正の内容】
【００１０】
また、前記入出力インターフェースは、さらに少なくとも一つのメモリカード差込スロットを有する。前記メモリカード差込スロットは、支援する無線ネットワークモジュールの差込に用いるＳＤ（Ｓｅｃｕｒｅ  Ｄｉｇｉｔａｌ）Ｉ／Ｏ互換インターフェースまたはＣＦカード（ＣｏｍｐａｃｔＦｌａｓｈ（登録商標）  Ｃａｒｄ）互換インターフェースであることが例示される。
【手続補正５】
【補正対象書類名】明細書
【補正対象項目名】００１１
【補正方法】変更
【補正の内容】
【００１１】
前記メモリカード差込スロットが支援するメモリカード規格は、ＣＦ（ＣｏｍｐａｃｔＦｌａｓｈ）カード、ＭＳ（Ｍｅｍｏｒｙ  Ｓｔｉｃｋ（登録商標））カード、ＳＤ（Ｓｅｃｕｒｅ  Ｄｉｇｉｔａｌ）カード、ＳＤＨＣ（Ｓｅｃｕｒｅ  Ｄｉｇｉｔａｌ  Ｈｉｇｈ  Ｃａｐａｃｉｔｙ）カード、ｍｉｎｉＳＤカード、ｍｉｃｒｏＳＤカードまたはＭＭＣカード（Ｍｕｌｔｉｍｅｄｉａ  Ｃａｒｄ）、ＳＭ（ＳｍａｒｔＭｅｄｉａ（登録商標））カードまたはｘＤ画像カード（Ｅｘｔｒｅｍｅ  Ｄｉｇｉｔａｌ−Ｐｉｃｔｕｒｅ  Ｃａｒｄ）を含むことが例示される。
【手続補正６】
【補正対象書類名】明細書
【補正対象項目名】００１７
【補正方法】変更
【補正の内容】
【００１７】
第一無線モジュール２は、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）（登録商標）準拠互換モジュールであり、データ処理制御ユニット１１に電気的に接続されるか、または入出力インターフェース１２を介してデータ処理制御ユニット１１に接続される。このため、広域通信ネットワーク（Ｗｉｄｅ  Ａｒｅａ  Ｎｅｔｗｏｒｋ，ＷＡＮ）のサーバー４１を介してインターネット（Ｉｎｔｅｒｎｅｔ）４の任意のサーバー端に接続する機能を、本体１に提供することができる。